(57)【要約】  本発明は、電流遮断後に電池内に保持されている電気エネルギーを安全に取り出すことができる簡易な構造の角形二次電池を提供することを目的としている。本発明の角形二次電池Ｃ１は、正極箔露出部３０１ｃを有する電極群３と、電極群３を収容する電池ケース１と、蓋６に設けられた外部端子８Ａと、外部端子８Ａと正極箔露出部３０１ｃとの間を接続する集電端子４Ａとを有する角形二次電池であって、集電端子４Ａは、外部端子８Ａと正極箔露出部３０１ｃとの間の導通を遮断可能な電流遮断手段１０１を有し、外部端子８Ａは、蓋６を貫通して集電端子８Ａに接続される接続部１２Ａを有しており、接続部１２Ａには、正極箔露出部３０１ｃに対向する位置に電池容器の内部と外部との間を連通する連通穴２０１が設けられている。
2013175619.tif 000002
【特許請求の範囲】
【請求項１】
電極箔露出部を有する電極群と、該電極群を収容する電池容器と、該電池容器に設けられた外部端子と、該外部端子と前記電極箔露出部との間を接続する集電端子と、を有する角形二次電池であって、
前記集電端子は、前記外部端子と前記電極箔露出部との間の導通を遮断可能な電流遮断手段を有し、
前記外部端子は、前記電池容器を貫通して前記集電端子に接続される接続部を有しており、該接続部には、前記電極箔露出部に対向する位置に前記電池容器の内部と外部との間を連通する連通穴が設けられていることを特徴とする角形二次電池。
【請求項２】
前記電極群は、長辺の一方端部に沿って前記電極箔露出部が形成された電極体を扁平状に捲回した構成を有し、
前記連通穴は、前記電極群の捲回軸方向に交差する方向に沿って延在することを特徴とする請求項１に記載の角形二次電池。
【請求項３】
前記電池容器は、前記電極群を該電極群の捲回軸方向が横幅方向に沿って延在する横倒し姿勢状態で収容する電池ケースと、該電池ケースを封口する蓋とを有し、
前記外部端子は、前記蓋に設けられており、
前記接続部は、前記蓋を貫通する構成を有していることを特徴とする請求項２に記載の角形二次電池。
【請求項４】
前記外部端子は、前記蓋から上方に突出するブロック形状を有しており、
前記接続部は、前記外部端子に一体に設けられて、前記外部端子の下面から突出し、前記外部端子と前記集電端子とを接続しかつ前記蓋に一体に固定する構成を有していることを特徴とする請求項３に記載の角形二次電池。
【請求項５】
前記外部端子は、前記蓋から突出するボルト端子と、前記蓋の上面に沿って延在して前記ボルト端子を支持する端子板と、前記蓋を貫通して前記端子板と前記集電端子とを接続しかつ前記蓋に一体に固定する接続軸とを有しており、前記接続軸によって前記接続部が構成されていることを特徴とする請求項３に記載の角形二次電池。
【請求項６】
前記連通穴を閉塞する封止部を有することを特徴とする請求項１から請求項５のいずれか一項に記載の角形二次電池。
【請求項７】
前記封止部は、樹脂製材料からなることを特徴とする請求項６に記載の角形二次電池。
【請求項８】
前記連通穴は、雌ネジ部を有し、
前記封止部は、前記雌ネジ部に螺合する雄ネジ部を有することを特徴とする請求項６に記載の角形二次電池。
【請求項９】
前記封止部は、前記電池容器の外部から押し込むことにより、前記連通穴から前記電池容器の内部に落とし込み、前記連通穴を開放する構成を有することを特徴とする請求項６に記載の角形二次電池。
【請求項１０】
前記封止部は、前記電池容器の外部から押し込むことにより穴が開けられて、前記連通穴を開放する構成を有することを特徴とする請求項６に記載の角形二次電池。
【請求項１１】
前記外部端子は、前記連通穴の一部に該連通穴を閉塞する未連通部が一体に形成されていることを特徴とする請求項１から請求項５のいずれか一項に記載の角形二次電池。
【発明の詳細な説明】
【技術分野】
【０００１】
本発明は例えば車載用途等に使用される角形二次電池に関する。
【背景技術】
【０００２】
近年、電気自動車等の動力源として、エネルギー密度の高いリチウムイオン二次電池の開発が進められている。車載用途の二次電池では、携帯電話用などと比較して大電流が流れる上に、何らかの異常により過大な電流が流れることもある。このため、二次電池内に電流の遮断構造を設ける技術が提案され、さらに電流遮断後に電池内に残った電気エネルギーを取り出す構造が提案されている(特許文献１)。
【先行技術文献】
【特許文献】
【０００３】
【特許文献１】特開2008-234903号公報
【特許文献２】特開2007-188787号公報
【発明の概要】
【発明が解決しようとする課題】
【０００４】
特許文献１では、専用の補助端子を設けているので、構造が複雑になり、部品点数及び組立工数の増加により、コスト高を招来するという問題がある。また、補助端子を設けることによって、製造時のハンドリング時や自動車事故等により外力が加えられたときに外部短絡を起こす可能性がある。【０００５】
特許文献２には、ボルト式端子に貫通穴が設けられた構造が記述されている。この構造は、貫通穴をボルトの周り止めに使用することと、貫通穴の末端に金属薄片を貼着し、安全弁を形成することを目的としている。【０００６】
本発明は、電池ケース内に電流遮断構造を有する二次電池において、電流遮断後に電池内に保持されている電気エネルギーを安全に取り出すことができる簡易な構造の角形二次電池を提供することを目的としている。
【課題を解決するための手段】
【０００７】
上記課題を解決する本発明の角形二次電池は、電極箔露出部を有する電極群と、該電極群を収容する電池容器と、該電池容器に設けられた外部端子と、該外部端子と前記電極箔露出部との間を接続する集電端子と、を有する角形二次電池であって、前記集電端子は、前記外部端子と前記電極箔露出部との間の導通を遮断可能な電流遮断手段を有し、前記外部端子は、前記電池容器を貫通して前記集電端子に接続される接続部を有しており、該接続部には、前記電極箔露出部に対向する位置に前記電池容器の内部と外部との間を連通する連通穴が設けられていることを特徴としている。
【発明の効果】
【０００８】
本発明によれば、連通穴から放電部材を挿入して、放電部材の挿入部分を発電体の金属箔露出部に電気的に接続することができる。したがって、電流遮断手段によって外部端子との間の導通が遮断された後に、電極箔露出部に放電部材を接続して、電池内に保持されている電気エネルギーを安全に取り出すことができ、安全に分解、廃棄可能な簡易構造の角形二次電池を得ることができる。なお、上記した以外の課題、構成及び効果は、以下の実施形態の説明により明らかにされる。
【図面の簡単な説明】
【０００９】
【図１】第１の実施形態に係わる角形二次電池の外観斜視図。
【図２】第１の実施形態に係わる角形二次電池の分解斜視図。
【図３】発電体の一部を展開した状態を示す分解斜視図。
【図４】第１の実施形態に係わる角形二次電池の断面図。
【図５】電気エネルギーを取り出す方法を説明する図。
【図６】第２の実施形態を説明する要部拡大断面図。
【図７】第３の実施形態を説明する要部拡大断面図。
【図８】第４の実施形態を説明する要部拡大断面図。
【図９】第５の実施形態を説明する要部拡大断面図。
【発明を実施するための形態】
【００１０】
次に、本発明の実施の形態について図面を参照しつつ以下に詳細に説明する。
【００１１】
本実施の形態に係わる角形二次電池は、電極箔露出部を有する電極群と、電極群を収容する電池容器と、電池容器に設けられた外部端子と、外部端子と電極箔露出部との間を接続する集電端子とを有する角形二次電池であって、集電端子は、外部端子と電極箔露出部との間の導通を遮断可能な電流遮断手段を有し、外部端子は、電池容器を貫通して集電端子に接続される接続部を有しており、接続部には、電極箔露出部に対向する位置に電池容器の内部と外部との間を連通する連通穴が設けられていることを特徴としている。
【００１２】
＜第１の実施形態＞
図１は、本実施の形態に係わる角形二次電池の外観斜視図である。
【００１３】
角形二次電池Ｃ１は、電池ケース（電池缶）１および蓋（蓋体）６を備える。電池ケース１内には、発電体３（図２を参照）が収納され、電池ケース１の上部開口が蓋６によって封止されている。蓋６は、電池ケース１にレーザ溶接により溶接されて、これら電池ケース１と蓋６によって電池容器が構成される。蓋６には、正極外部端子８Ａと、負極外部端子８Ｂが設けられている。正極外部端子８Ａと負極外部端子８Ｂを介して発電体３（図２を参照）に充電され、また外部負荷に電力が供給される。蓋６には、ガス排出弁１０が一体的に設けられ、電池容器内の圧力が上昇すると、ガス排出弁１０が開いて内部からガスが排出され、電池容器内の圧力が低減される。これによって、角形二次電池Ｃ１の安全性が確保される。
【００１４】
次に、図２を参照して、角形二次電池Ｃ１の電池ケース１内に収容される電池の構成を説明する。図２は、本実施形態に係わる角形二次電池の分解斜視図である。
【００１５】
角形二次電池Ｃ１の電池ケース１内には、絶縁シート２を介して発電体３が収容されている。発電体３は、セパレータを介して正極体と負極体を扁平形状に捲回した電極群であり、捲回軸方向の両端面側には、正極合剤および負極合剤が塗布されていない電極箔露出部３０１ｃ、３０２ｃが設けられている。
【００１６】
発電体３は、扁平形状に捲回されているため、断面半円形状の互いに対向する一対の湾曲部と、これら一対の湾曲部の間に連続して形成される平面部とを有している。発電体３は、捲回軸方向が電池ケース１の横幅方向に沿うように、一方の湾曲部側から電池ケース１内に挿入され、他方の湾曲部側が上部開口側に配置される。
【００１７】
発電体３の平面部でかつ電極箔露出部である正極接続部３０１ｄと負極接続部３０２ｄは、少なくとも一部が束ねられて平板状とされており、それぞれ正極集電板（集電端子）４Ａの一端と負極集電板（集電端子）４Ｂの一端に重ね合わされて接続されている。
【００１８】
正極集電板４Ａの他端と負極集電板４Ｂの他端は、正極外部端子８Ａと負極外部端子８Ｂにそれぞれ接続されている。正極集電板４Ａには、過大電流が流れた場合に電流を遮断する電流遮断手段（ヒューズ）１０１が設けられている。電流遮断手段１０１は、例えば、正極集電板４Ａの一部に狭い幅の箇所を設けて、かかる部分が過大電流により溶断して正極集電板４Ａを発電体３側と正極外部端子８Ａ側に分離する構成を有している。尚、本実施形態では、電流遮断手段１０１は、正極集電板４Ａに設けたが、負極集電板４Ｂに設けてもよく、或いは正極集電板４Ａと負極集電板４Ｂの両方に設けてもよい。また、電流遮断手段１０１は、過大電流が流れた場合に電流を遮断する構成であればよく、上記した構成に限定されるものではない。
【００１９】
正極集電板４Ａと負極集電板４Ｂ、及び、正極外部端子８Ａと負極外部端子８Ｂを、それぞれ蓋６から電気的に絶縁するために、ガスケット５および絶縁板７が蓋６に設けられている。また、注液口９から電池ケース１内に電解液を注入した後、注液口９に注液栓１１を溶接して、角形二次電池Ｃ１を密閉封止する。
【００２０】
電池ケース１及び蓋６の材料には、アルミニウムまたはアルミニウム合金が用いられる。正極集電板４Ａ及び正極外部端子８Ａの材料には、アルミニウムまたはアルミニウム合金が用いられている。負極集電板４Ｂ及び負極外部端子８Ｂの材料には、銅または銅合金が用いられている。
【００２１】
正極外部端子８Ａ、負極外部端子８Ｂは、図示していないバスバー等に溶接接合される溶接接合部を有している。溶接接合部は、蓋６から上方に突出する直方体のブロック形状を有しており、下面が蓋６の表面に対向し、上面が所定高さ位置で蓋６と平行になる構成を有している。
【００２２】
正極外部端子８Ａの溶接接合部の下面には、正極外部端子８Ａと正極集電板４Ａとを接続するための正極接続部１２Ａが一体に設けられている。そして、負極外部端子８Ｂの溶接接合部の下面には、負極外部端子８Ｂと負極集電板４Ｂとを接続するための負極接続部１２Ｂが一体に設けられている。
【００２３】
正極接続部１２Ａ、負極接続部１２Ｂは、正極外部端子８Ａ、負極外部端子８Ｂの下面からそれぞれ突出して先端が蓋６の貫通孔６ａ、６ｂに挿入可能な円柱形状を有している。正極接続部１２Ａ、負極接続部１２Ｂは、蓋６を貫通して正極集電板４Ａ、負極集電板４Ｂの基部４１Ａ、４１Ｂよりも電池ケース１の内部側に突出しており、先端がかしめられて、正極外部端子８Ａ、負極外部端子８Ｂと、正極集電板４Ａ、負極集電板４Ｂを蓋６に一体に固定している。正極外部端子８Ａ、負極外部端子８Ｂと蓋６との間には、ガスケット５が介在されており、正極集電板４Ａ、負極集電板４Ｂと蓋６との間には、絶縁板７が介在されている。
【００２４】
正極集電板４Ａ、負極集電板４Ｂは、蓋６の下面に対向して配置される矩形板状の基部４１Ａ、４１Ｂと、基部４１Ａ、４１Ｂの側端で折曲されて、電池ケース１の幅広面に沿って底面側に向かって延出し、発電体３の正極接続部３０１ｄ、負極接続部３０２ｄに対向して重ね合わされた状態で接続される接続端部４２Ａ、４２Ｂを有している。基部４１Ａ、４１Ｂには、正極接続部１２Ａ、負極接続部１２Ｂが挿通される開口穴４３Ａ、４３Ｂがそれぞれ形成されている。
【００２５】
図３は、発電体の一部を展開した状態を示す分解斜視図である。発電体３は、セパレータ３０３を介して正極体３０１と負極体３０２を扁平形状に捲回した電極群である。正極体３０１は、正極箔３０１ａの両面に正極合剤３０１ｂを塗布したものであり、正極箔３０１ａの幅方向一方側には、未塗布の正極箔露出部３０１ｃを持つ。負極体３０２は、負極箔３０２ａの両面に負極合剤３０２ｂを塗布したものであり、負極箔３０２ａの幅方向他方側には、未塗布の負極箔露出部３０２ｃを持つ。正極箔露出部３０１ｃと負極箔露出部３０２ｃは、それぞれ捲回軸方向において反対側に位置するように捲回される。
【００２６】
図４は、本実施形態に係わる角形二次電池の断面図である。
【００２７】
発電体３は、図４に示すように、発電体３の捲回軸方向が電池ケース１の一対の幅狭面の間に亘って沿う横倒しの姿勢状態で且つ電池ケース１の底面側に発電体３の一方の湾曲部が配置され、蓋６側に発電体３の他方の湾曲部が配置されるように、電池ケース１内に収容されている。
【００２８】
そして、蓋６の長辺方向両側に外部端子８Ａ、８Ｂが配置され、蓋６を介して外部端子８Ａ、８Ｂに対向する位置に、発電体３の正極箔露出部３０１ｃと負極箔露出部３０２ｃが配置されている。電池容器内では、外部端子８Ａ、８Ｂの接続部１２Ａ、１２Ｂの先端が、発電体３の正極箔露出部３０１ｃと負極箔露出部３０２ｃに対して、捲回軸方向に直交する方向に離間して対向する位置に配置されている。
【００２９】
正極外部端子８Ａは、連通穴２０１を有している。連通穴２０１は、発電体３の捲回軸方向に直交する方向に沿って延在しており、正極外部端子８Ａの上面に一端が開口し、他端が接続部１２Ａの先端に開口している。連通穴２０１は、後述する放電棒（放電部材）１０２を挿入可能な穴径を有しており、連通穴２０１の延長線上に正極箔露出部３０１ｃが対向配置されている。
【００３０】
連通穴２０１には、例えば樹脂製などの封止栓（封止部）２０２が嵌め込まれており、連通穴２０１を封止している。封止栓２０２は、連通穴２０１の半分以上の長さを有しており、例えばドリルなどの工具を用いた簡単な作業によって連通穴２０１内から取り除くことができる。
【００３１】
電流遮断手段１０１により正極外部端子８Ａと発電体３の導通が遮断された場合に、封止栓２０２を取り除いて連通穴２０１を開放し、連通穴２０１に放電棒１０２を挿入して放電棒１０２の挿入部分の先端を発電体３の正極箔露出部３０１ｃに接触させて、発電体３内に蓄えられている電気エネルギーを発電体３から取り出すことができる。封止栓２０２は、樹脂製材料によって構成されているので、封止栓２０２を取り除く際にその切削片が電池内部に入り込んでも内部短絡を発生させるおそれがない。
【００３２】
図５は、発電体から電気エネルギーを取り出す方法を説明する概念図である。
【００３３】
正極集電板４Ａに設けた電流遮断手段１０１が作動し、正極外部端子８Ａと発電体３の接続が切断された場合に、発電体３の電気エネルギーを取り出すためには、まず、正極外部端子８Ａの連通穴２０１を封止する封止栓２０２を取り除き、連通穴２０１を開放して、電池容器の内外を連通させる。
【００３４】
それから、連通穴２０１に金属製で一直線状の放電棒（放電部材）１０２を挿入して、発電体３の正極箔露出部３０１ｃに放電棒１０２の先端を接触させる。放電棒１０２は、正極箔露出部３０１ｃとの接触を安定させるために、先端が尖っているものが望ましく、正極箔露出部３０１ｃを貫通して突き刺さった状態とするのが好ましい。
【００３５】
連通穴２０１は、発電体３の捲回軸方向に直交する方向に延在しており、発電体３の正極箔露出部３０１ｃに対向する位置に設けられているので、放電棒１０２を挿入して、放電棒１０２の先端を発電体３の正極箔露出部３０１ｃに当接させ、そこから放電棒１０２をさらに押し込むことにより、放電棒１０２の先端を正極箔露出部３０１ｃのみが積層されている部分に突き刺すことができる。したがって、発電体３を短絡させることなく、安全に放電棒１０２を正極箔露出部３０１ｃに電気的に接続することができる。
【００３６】
放電棒１０２は、作業安定性のために、連通穴２０１から挿入される長さが規定されるような形状であることが望ましい。例えば、本実施の形態では、放電棒１０２は、連通穴２０１に挿入される軸部１０２ａと、軸部１０２ａの基端で拡径された頭頂部１０２ｂを有しており、頭頂部１０２ｂによって軸部１０２ａが挿入される長さを規定することができる。
【００３７】
本実施の形態によれば、発電体３の正極箔露出部３０１ｃに対向する位置に連通穴２０１が配置されているので、連通穴２０１から放電棒１０２を挿入して、放電棒１０２の挿入部分を発電体３の正極箔露出部３０１ｃに電気的に接続することができる。したがって、電流遮断手段によって外部端子との間の導通が遮断された後に、正極箔露出部３０１ｃに放電棒１０２を接続して、発電体３から電気エネルギーを安全に取り出すことができる。したがって、角形二次電池を簡易な構造で安全に分解、廃棄することができる。
【００３８】
尚、本実施形態では、連通穴２０１及び封止栓２０２を正極外部端子８Ａに設けた場合を例に説明したが、集電板に電流遮断手段１０１が設けてある側に設ける必要があるため、負極集電板４Ｂに電流遮断手段１０１を設けた場合は負極外部端子８Ｂに、正極集電板４Ａと負極集電板４Ｂの両方に設けた場合は、正極外部端子８Ａと負極外部端子８Ｂの両方に設ける。
【００３９】
＜第２の実施形態＞
次に、第２の実施形態について図６を用いて説明する。
【００４０】
図６は、第２の実施形態の詳細を示す断面図であり、要部を拡大して示すものである。なお、上記した第１の実施形態と同様の構成要素には同一の符号を付することでその詳細な説明を省略する。
【００４１】
本実施形態において特徴的なことは、連通穴２０１に雌ネジを形成して、連通穴２０１を封止ネジ（封止部）２０３で封止した構成としたことである。連通穴２０１の内周面には、雌ネジが形成されている。そして、封止ネジ２０３が、シール材とともに螺入されている。連通穴２０１は、封止ネジ２０３によって封止されている。  
封止ネジ２０３は、連通穴２０１を確実に封止し、電池容器内の圧力が高くなったときでも連通穴２０１から抜けるのを防ぎ、より高圧に耐えることができる。一方、取り外し方向に回転させることによって、連通穴２０１内から簡単に取り外すことができ、切削片が電池容器内に入るのを防ぐことができる。なお、封止ネジ２０３をドリル等により切削して取り除いてもよい。
【００４２】
電流遮断手段１０１により正極外部端子８Ａと発電体３の導通が遮断された場合に、封止ネジ２０３を取り外して連通穴２０１を開放し、連通穴２０１に放電棒１０２（例えば図５を参照）を挿入して放電棒１０２の挿入部分を発電体３の正極箔露出部３０１ｃに接触させて、発電体３内に蓄えられている電気エネルギーを発電体３から取り出すことができる。
【００４３】
尚、本実施形態では、連通穴２０１及び封止ネジ２０３を正極外部端子８Ａに設けた場合を例に説明したが、集電板に電流遮断手段１０１が設けてある側に設ける必要があるため、負極集電板４Ｂに電流遮断手段１０１を設けた場合は負極外部端子８Ｂに、正極集電板４Ａと負極集電板４Ｂの両方に設けた場合は、正極外部端子８Ａと負極外部端子８Ｂの両方に設ける。
【００４４】
＜第３の実施形態＞
次に、第３の実施形態について図７に基づいて説明する。図７は、第３の実施形態の詳細を示す断面図である。なお、上記した各実施形態と同様の構成要素には同一の符号を付することでその詳細な説明を省略する。
【００４５】
本実施の形態において特徴的なことは、非導電性材料により構成した封止栓２０４を押し込むことによって連通穴２０１から電池容器内に落とし込み、或いは、封止栓２０４に穴を開けて、連通穴２０１を開放可能な構成としたことである。
【００４６】
封止栓２０４は、例えば樹脂製などの非導電性材料からなり、例えば接続部１２Ａの先端と正極箔露出部３０１ｃとの間の離間距離よりも短い長さを有している。封止栓２０４は、樹脂製材料によって構成されているので、電池容器内に入り込んでも内部短絡を発生させるおそれがない。また、封止栓２０４を薄く成形することにより、放電棒１０２等の尖ったもので押しこむことで容易に穴を開けることが可能な構成にもできる。
【００４７】
例えば、連通穴２０１は、その内径が電池容器の内部側を大径とし外部側を小径とした段付き構造を有する場合に、電池容器内の圧力が高くなったときでも連通穴２０１から封止栓２０４が抜けるのを防ぐことができ、より高圧に耐えることができる。一方、取り外す場合には、放電棒１０２等で押し込むことにより、連通穴２０１内から簡単に取り外すことができる。
【００４８】
電流遮断手段１０１により正極外部端子８Ａと発電体３の導通が遮断された場合に、放電棒１０２を連通穴２０１に挿入して押し込むことにより、封止栓２０４を連通穴２０１から電池容器内に落とし込み、或いは、封止栓２０４に穴を開けて、連通穴２０１を開放することができる。そして、そのまま放電棒１０２を挿入することによって、放電棒１０２の挿入部分を発電体３の正極箔露出部３０１ｃに接触させて、発電体３内に蓄えられている電気エネルギーを発電体３から取り出すことができる。したがって、放電棒１０２の挿入部分を発電体３の正極箔露出部３０１ｃに簡単かつ確実に接続することができ、電気エネルギーを取り出す作業を簡単かつ安全に行うことができる。
【００４９】
尚、本実施形態では、連通穴２０１及び封止栓２０４を正極外部端子８Ａに設けた場合を例に説明したが、集電板に電流遮断手段１０１が設けてある側に設ける必要があるため、負極集電板４Ｂに電流遮断手段１０１を設けた場合には負極外部端子８Ｂに設け、正極集電板４Ａと負極集電板４Ｂの両方に設けた場合には正極外部端子８Ａと負極外部端子８Ｂの両方に設ける。
【００５０】
＜第４の実施形態＞
次に、第４の実施形態について図８に基づいて説明する。図８は、第４の実施形態の詳細を示す断面図である。なお、上記した各実施形態と同様の構成要素には同一の符号を付することでその詳細な説明を省略する。
【００５１】
本実施の形態において特徴的なことは、上記封止部の代わりに、連通穴２０１の一部に連通穴２０１を閉塞する未連通部２０５が一体に形成されており、電池内部の電気エネルギーを取り出す際に、放電棒や工具などで未連通部２０５に穴を開けて連通穴２０１を貫通させる構成を有することである。
【００５２】
正極外部端子８Ａは、連通穴２０１の一部である電池内部側の端部に、連通穴２０１を閉塞する未連通部２０５が一体に形成されている。未連通部２０５は、通常の使用状態では連通穴２０１を閉塞しており、放電棒１０２等の尖ったもので押しこむことで容易に穴を開けることができるように、厚さが薄く形成されている。
【００５３】
電流遮断手段１０１により正極外部端子８Ａと発電体３の接続が切断された場合に、例えば放電棒１０２を連通穴２０１に挿入して押し込むことにより、未連通部２０５に穴を開けて連通穴２０１を貫通させることができる。そして、そのまま放電棒１０２を挿入することによって、放電棒１０２の挿入部分を発電体３の正極箔露出部３０１ｃに接触させて、発電体３内に蓄えられている電気エネルギーを発電体３から取り出すことができる。
【００５４】
したがって、放電棒１０２の挿入部分を発電体３の正極箔露出部３０１ｃに簡単かつ確実に接触させることができ、電気エネルギーを取り出す作業を簡単かつ安全に行うことができる。
【００５５】
尚、本実施形態では、連通穴２０１及び未連通部２０５を正極外部端子８Ａに設けた場合を例に説明したが、集電板に電流遮断手段１０１が設けてある側に設ける必要があるため、例えば負極集電板４Ｂに電流遮断手段１０１を設けた場合には負極外部端子８Ｂに設け、正極集電板４Ａと負極集電板４Ｂの両方に設けた場合は、正極外部端子８Ａと負極外部端子８Ｂの両方に設ける。
【００５６】
＜第５の実施形態＞
次に、第５の実施形態について図９に基づいて説明する。
【００５７】
図９は、第５の実施形態の詳細を示す断面図である。なお、上記した各実施形態と同様の構成要素には同一の符号を付することでその詳細な説明を省略する。
【００５８】
本実施の形態において特徴的なことは、外部端子がボルト接続式のものに適用したことである。なお、正極と負極は、ほぼ同様の構成を有しているので、以下の説明では、正極側のみについて説明し、負極の説明について省略する。
【００５９】
正極外部端子８Ａは、正極ボルト端子４０１Ａと、正極端子板４０２Ａと、正極接続軸（正極接続部）４０３Ａを有している。
【００６０】
正極ボルト端子４０１Ａは、貫通孔６ａよりも蓋６の長手方向中央寄り位置で、蓋６の上面にヘッド部が当接して蓋６から上方に向かってネジ部が突出する姿勢状態となるように配置されている。正極ボルト端子４０１Ａは、正極端子板４０２Ａを貫通するように配置され、蓋６とは絶縁板７にて絶縁されている。
【００６１】
正極端子板４０２Ａは、蓋６の上面に沿って貫通孔６ａと正極ボルト端子４０１Ａとの間に亘って延在する平板形状を有している。正極端子板４０２Ａは、一方端部に、正極ボルト端子４０１Ａが挿通される第１挿通孔が穿設されており、また、他方端部に、正極接続軸４０３Ａの上端部が挿通される第２挿通孔が穿設されている。
【００６２】
正極接続軸４０３Ａは、蓋６の貫通孔６ａと、正極端子板４０２Ａの第２挿通孔と、正極集電板４Ａの基部４１Ａの開口穴４３Ａとに、挿通された状態で両端部をかしめることにより、ガスケット５及び絶縁板７を間に介して、正極集電板４Ａと正極端子板４０２Ａとを蓋６に一体に固定する構成を有している。
【００６３】
正極接続軸４０３Ａは、蓋６の表面側に上端部が露出し、蓋６の裏面側に下端部が露出している。そして、電池容器内で正極接続軸４０３Ａの下端部が、発電体３の正極箔露出部３０１ｃに対向している。
【００６４】
正極接続軸４０３Ａは、連通穴２０１を有している。負極接続軸４０３Ｂには、連通穴２０１は設けられていない。
【００６５】
連通穴２０１は、発電体３の捲回軸方向に直交する方向に沿って延在しており、正極接続軸４０３Ａの上端部に一端が開口し、他端が正極接続軸４０３Ａの下端部に開口している。連通穴２０１は、後述する放電棒（放電部材）１０２を挿入可能な穴径を有しており、連通穴２０１の延長線上に正極箔露出部３０１ｃが対向配置されている。
【００６６】
正極接続軸４０３Ａには、連通穴２０１の一部である電池内部側の端部に、連通穴２０１を閉塞する未連通部２０５が一体に形成されている。未連通部２０５は、通常の使用状態では連通穴２０１を閉塞しており、放電棒１０２等の尖ったもので押しこむことで容易に穴を開けることができるように、厚さが薄く形成されている。
【００６７】
電流遮断手段１０１により正極外部端子８Ａと発電体３の接続が切断された場合に、例えば放電棒１０２を連通穴２０１に挿入して押し込むことにより、未連通部２０５に穴を開けて連通穴２０１を貫通させることができる。そして、そのまま放電棒１０２を挿入することによって、放電棒１０２の挿入部分を発電体３の正極箔露出部３０１ｃに接触させて、発電体３内に蓄えられている電気エネルギーを発電体３から取り出すことができる。
【００６８】
したがって、放電棒１０２の挿入部分を発電体３の正極箔露出部３０１ｃに簡単かつ確実に接触させることができ、電気エネルギーを取り出す作業を簡単かつ安全に行うことができる。
【００６９】
尚、本実施形態では、連通穴２０１及び未連通部２０５を正極接続軸４０３Ａに設けた場合を例に説明したが、集電板に電流遮断手段が設けてある側に設ける必要があるため、負極集電板４Ｂに電流遮断手段１０１を設けた場合は、負極接続軸４０３Ｂに設け、正極集電板４Ａと負極集電板４Ｂの両方に電流遮断手段１０１を設けた場合は、正極接続軸４０３Ａと負極接続軸４０３Ｂの両方に設ける。
【００７０】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００７１】
１    電池ケース
３    発電体（電極群）
４Ａ  正極集電板（集電端子）
４Ｂ  負極集電板
６    蓋
８Ａ  正極外部端子（外部端子）
８Ｂ  負極外部端子
１２Ａ  正極接続部
１２Ｂ  負極接続部
１０１  電流遮断手段
１０２  放電棒
２０１  連通穴
２０２  封止栓（封止部）
２０３  封止ネジ（封止部）
２０４  封止栓（封止部）
２０５  未連通部
３０１  正極体
３０１ｃ  正極箔露出部（電極箔露出部）
３０２  負極体
３０２ｃ  負極箔露出部
３０３  セパレータ
４０１Ａ  正極ボルト端子（ボルト端子）
４０１Ｂ  負極ボルト端子
４０２Ａ  正極端子板（端子板）
４０２Ｂ  負極端子板
４０３Ａ  正極接続軸（接続部）
４０３Ｂ  負極接続軸
【図１】
2013175619.tif 000003
【図２】
2013175619.tif 000004
【図３】
2013175619.tif 000005
【図４】
2013175619.tif 000006
【図５】
2013175619.tif 000007
【図６】
2013175619.tif 000008
【図７】
2013175619.tif 000009
【図８】
2013175619.tif 000010
【図９】
2013175619.tif 000011
【国際調査報告】
2013175619.tif 000012
2013175619.tif 000013
2013175619.tif 000014
2013175619.tif 000015